(57)【要約】【課題】従来、印刷装置の印刷設定機能を備えた情報処理装置及び印刷システムでは、一度、印刷設定した後に、再設定することが困難であり、特に、複数の印刷装置に対して印刷設定を変更する場合は、各印刷装置に対して設定する必要があり手間がかかっていた。【解決手段】情報処理装置１０は、印刷設定情報１５ａを更新する場合、参照先情報１５ｂに基づいて、書き換え用印刷設定情報３２ｂを検索し、印刷設定情報１５ａを検索された書き換え用印刷情報３２ｂに更新するようにしている。そのため、一度、印刷設定した後に、印刷設定を再設定することが容易である。特に、複数の印刷装置に対して印刷設定を更新する場合にも、１台の情報処理装置１０から更新設定することができるので、印刷設定の更新の手間を省くことができる。【選択図】図１
2013105418.tif 000002
【特許請求の範囲】
【請求項１】
複数の設定項目についての現在の設定情報である印刷設定情報と、前記印刷設定情報を更新する場合の前記設定情報の参照先を示す参照先情報と、前記印刷設定情報の更新を有効にするための書き換え済み個別認証データを格納する書き換え済みフラグテーブルと、を保持する記憶領域と、
前記参照先情報に基づいて書き換え用印刷設定情報を検索し、前記書き換え用印刷情報により前記印刷設定情報を更新すると共に、印刷命令を出力するプリンタドライバと、
を備えたことを特徴とする情報処理装置。
【請求項２】
前記プリンタドライバは、
前記参照先情報に基づいて、前記参照先の個別認証データを検索し、前記個別認証データと、前記書き換え済みフラグテーブルに格納されている前記書き換え済み個別認証データとを比較し、この比較結果が、前記個別認証データが前記書き換え済みフラグテーブルに格納されている何れの前記書き換え済み個別認証データとも一致しない場合、前記印刷設定情報を前記書き換え用印刷情報に更新すると共に、前記印刷命令を出力することを特徴とする請求項１記載の情報処理装置。
【請求項３】
前記プリンタドライバは、
前記参照先情報に基づいて、前記個別認証データ、前記書き換え用印刷設定情報、及び前記印刷設定情報のうちの設定値を変更する前記設定項目を示す印刷設定項目のマスクデータと、を検索し、前記印刷設定情報、前記書き換え用印刷設定情報、及び前記印刷設定項目のマスクデータに基づき、前記印刷設定情報の前記設定項目の中の所定の前記設定項目のみの前記設定値を更新すると共に、前記印刷命令を出力することを特徴とする請求項１記載の情報処理装置。
【請求項４】
前記プリンタドライバは、
前記印刷設定情報、前記書き換え用印刷設定情報、及び前記設定項目のマスクデータを入力し、所定の論理演算をしてマスク済み印刷設定情報を生成する印刷設定項目のマスク処理部を有し、
このマスク済み印刷設定情報に基づいて、前記印刷設定情報を更新すると共に、前記印刷命令を出力することを特徴とする請求項１記載の情報処理装置。
【請求項５】
前記プリンタドライバは、
前記印刷設定情報の設定値をユーザが変更するための印刷設定ユーザインタフェースを有し、
前記参照先情報に基づいて、前記参照先の個別認証データを検索し、前記個別認証データと、前記書き換え済済みフラグテーブルに格納されている前記書き換え済み個別認証データとを比較し、この比較結果が、前記個別認証データが前記書き換え済みフラグテーブルに格納されている何れの前記書き換え済み個別認証データとも一致しない場合、前記印刷設定情報を前記書き換え用印刷情報に更新し、前記印刷命令を出力すると共に、前記印刷設定ユーザインタフェースを介して、前記印刷設定情報の前記設定項目の前記設定値を変更することを特徴とする請求項１記載の情報処理装置。
【請求項６】
前記論理演算は、
前記印刷設定情報と前記マスクデータとの設定項目毎の論理積により第１論理積テーブルを生成し、前記書き換え用印刷設定情報と、前記マスクデータの設定項目のマスク論理を反転した情報と、の設定項目毎の論理積により第２論理積テーブルを生成し、前記第１論理積テーブルと前記第２論理積テーブルとの論理和演算であることを特徴とする請求項４記載の情報処理装置。
【請求項７】
現在の設定情報である印刷設定情報、前記印刷設定情報を更新する場合の前記設定情報の参照先を示す参照先情報、及び、前記印刷設定情報の更新を有効にするための書き換え済み個別認証データを格納する書き換え済みフラグテーブル、を保持する記憶領域と、前記参照先情報に基づいて、個別認証データ及び書き換え用印刷設定情報を検索し、前記個別認証データが前記書き換え済みフラグテーブルに格納されている何れの書き換え済み個別認証データとも一致しない場合に、前記印刷設定情報を前記書き換え用印刷情報に更新すると共に、印刷命令を出力するプリンタドライバと、を有する情報処理装置と、
前記書き換え用印刷設定情報を保持し、前記情報処理装置から入力される前記参照先情報に基づいて前記個別認証データ及び書き換え用印刷設定情報を前記情報処理装置へ出力する情報蓄積装置と、
前記情報処理装置に接続され、前記情報処理装置からの前記印刷命令に従って印刷を行う１つ又は複数の印刷装置と、
を備えたことを特徴とする印刷システム。
【請求項８】
現在の設定情報である印刷設定情報、前記印刷設定情報を更新する場合の前記設定情報の参照先を示す参照先情報、及び、前記印刷設定情報の更新を有効にするための書き換え済個別認証データを格納するフラグテーブル、を保持する記憶領域と、前記参照先情報に基づいて、個別認証データ、書き換え用印刷設定情報、及び前記印刷設定情報のうちの設定値を変更する前記設定項目を示す印刷設定項目のマスクデータと、を検索し、前記個別認証データが前記書き換え済みフラグテーブルに格納されている何れの書き換え済み個別認証データとも一致しない場合に、前記印刷設定情報、前記書き換え用印刷設定情報、及び前記設定項目のマスクデータに基づき、前記印刷設定情報の前記設定項目の中の所定の前記設定項目のみの前記設定値を、前記書き換え用印刷設定情報の設定値に更新すると共に、印刷命令を出力するプリンタドライバと、を有する情報処理装置と、
前記個別認証データ、前記印刷設定書き換え情報、及び前記印刷設定項目マスクデータを保持し、前記情報処理装置から入力される前記参照先情報に基づいて、前記個別認証データ、前記書き換え用印刷設定値、及び前記印刷設定項目マスクデータを前記情報処理装置へ出力する情報蓄積装置と、
前記情報処理装置に接続され、前記情報処理装置からの前記印刷命令に従って印刷を行う１つ又複数の印刷装置と、
を備えたことを特徴とする印刷システム。
【発明の詳細な説明】
【技術分野】
【０００１】
本発明は、情報処理装置と、この情報処理装置及び印刷装置を備え、情報処理装置の印刷設定情報の更新機能を有する印刷システムと、に関するものである。
【背景技術】
【０００２】
従来、例えば、下記特許文献１には、印刷装置に接続された情報処理装置の技術が記載されている。この情報処理装置では、各印刷装置からオプション構成情報や資源情報等の印刷設定情報を取得して情報処理装置のプリンタドライバのプログラムをインストールするので、インストールした後に、情報処理装置のオペレータが印刷設定情報を設定する必要がない。
【先行技術文献】
【特許文献】
【０００３】
【特許文献１】特開２００６−１２７２１８号公報
【発明の概要】
【発明が解決しようとする課題】
【０００４】
しかしながら、従来の情報処理装置及びそれを備えた印刷システムでは、次の（１）、（２）のような課題があった。
【０００５】
（１）  情報処理装置の印刷設定を再設定するためには、情報処理装置内のプリンタドライバのソフトウェアを再インストールする必要がある。
【０００６】
（２）  複数の印刷装置に対して印刷設定を変更する場合は、それぞれの印刷装置に対応するように、それぞれの印刷装置から印刷設定情報を取得する必要があるので、手間がかかる。
【課題を解決するための手段】
【０００７】
本発明の内の第１の発明の情報処理装置は、複数の設定項目についての現在の設定情報である印刷設定情報と、前記印刷設定情報を更新する場合の前記設定情報の参照先を示す情報である参照先情報と、前記印刷設定情報の更新を有効にするための書き換え済データを格納する書換済フラグテーブルとを保持する記憶領域と、前記参照先情報に基づいて書き換え用印刷設定情報を検索し、前記書き換え用印刷情報により前記印刷設定情報を更新すると共に、印刷命令を出力するプリンタドライバと、を備えたことを特徴とする。
【０００８】
第２の発明の印刷システムは、前記情報処理装置と、前記書き換え用印刷設定情報を保持し、前記情報処理装置から入力される前記参照先情報に基づいて前記書き換え用印刷設定情報を前記情報処理装置へ出力する情報蓄積装置と、前記情報処理装置に接続され、前記書き換え用印刷設定情報により前記印刷設定情報の設定が更新され、前記情報処理装置からの命令に従って印刷を行う１又は複数の印刷装置と、を備えたことを特徴とする。
【発明の効果】
【０００９】
本発明の情報処理装置及び印刷システムによれば、以下の（ａ）〜（ｃ）のような効果がある。
【００１０】
（ａ）  情報処理装置は、参照先情報に基づいて書き換え用印刷設定情報を検索し、この書き換え用印刷設定情報により印刷設定情報を更新している。そのため、情報処理装置内のプリンタドライバのプログラムを再インストールすることなく、容易に、情報処理装置の印刷設定情報を更新することができる。
【００１１】
（ｂ）  情報処理装置は、複数の参照先に複数の印刷装置の書き換え用印刷設定情報を対応づけて記憶しているので、容易に、情報処理装置の印刷設定情報を、複数の印刷装置に対応した書き換え用印刷設定情報に更新できる。
【００１２】
（ｃ）  印刷システムは、前記情報処理装置、情報蓄積装置、及び複数の印刷装置とを備えているので、情報処理装置から、複数の印刷装置に対する印刷設定情報の更新を容易に行える。
【図面の簡単な説明】
【００１３】
【図１】図１は図２中の情報処理装置１０の詳細を示す構成図である。
【図２】図２は本発明の実施例１における印刷システム１の概略を示す構成図である。
【図３】図３は図１中の印刷設定情報１５ａの例を示す図である。
【図４】図４は図１中の参照先情報１５ｂの例を示す図である。
【図５】図５は図１中の書換済フラグテーブル１５ｄの例を示す図である。
【図６】図６は図１中の書き換え用印刷設定情報３２ｂの例を示す図である。
【図７】図７は参照先情報の登録方法を説明するための図である。
【図８】図８は実施例１の印刷設定の処理を示すフローチャートである。
【図９】図９は印刷システム１における印刷処理の流れを説明するための図である。
【図１０】図１０は本発明の実施例２の印刷システム１Ａの概略を示す構成図である。
【図１１】図１１は図１０中の情報処理装置１０Ａの詳細を示す構成図である。
【図１２】図１２は図１１中の印刷設定項目マスクデータ３２ｃの例を示す図である。
【図１３】図１３は実施例２の印刷設定の処理を示すフローチャートである。
【図１４】図１４は図１１中のマスク処理部１４ｅにおける論理演算を説明する図である。
【図１５】図１５は本発明の実施例３の印刷システム１Ｂの概略を示す構成図である。
【図１６】図１６は図１５中の情報処理装置１０Ｂの詳細を示す構成図である。
【図１７】図１７は本発明の実施例３の印刷設定の流れを説明する図である。
【図１８】図１８は実施例３の印刷設定の処理を示すフローチャートである。
【発明を実施するための形態】
【００１４】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１５】
（実施例１の構成）
図２は、本発明の実施例１における印刷システムの概略を示す構成図である。
【００１６】
本実施例１の印刷システム１は、例えば、コンピュータである情報処理装置１０と、例えば、プリンタである複数の印刷装置２０（２０−１〜２０−Ｎ）とが、有線又は無線のネットワーク２を介して接続されている。尚、印刷装置２０は、１つでもよい。情報処理装置１０には、情報蓄積装置３０が接続されている。情報蓄積装置３０は、例えば、外部ファイルサーバ３５、ストレージサーバ３６、ＵＳＢメモリ３７により構成される。
【００１７】
印刷処理装置１０は、情報蓄積装置３０内の記憶領域を参照し、書き換え用印刷設定情報を取得して、印刷設定情報の更新をすると共に、印刷装置２０に印刷コマンドを出力するものである。印刷装置２０は、印刷コマンドに従って印刷を実行するものであり、様々な機能とその機能を選択する選択肢を有している。情報処理装置１０は、印刷装置２０の有する様々な機能及びその機能を選択する選択肢に対応した設定項目及び設定値の情報として、印刷設定情報を設定することができるようになっている。
【００１８】
図１は、図２中の情報処理装置１０の詳細を示す構成図である。
情報処理装置１０には、アプリケーションプログラム（以下「ＡＰ」という。）１１、オペレーティングシステム（以下「ＯＳ」という。）１２、印刷や画面表示を制御するインタフェース（以下「Ｉ／Ｆ」という。）であるグラフィックデバイスインタフェース（Graphic  Device  Interface、以下「ＧＤＩ」という。）１３、及びプリンタドライバ１４がインストールされ、更に、記憶領域１５と、外部Ｉ／Ｆ１７と、が設けられている。
【００１９】
ＡＰ１１は、描画（印刷）命令や印刷設定情報の変更の命令を、ＧＤＩ１３を介してプリンタドライバ１４へ出力するプログラムである。
【００２０】
ＯＳ１２は、情報処理装置１０の初期設定値（これを「デフォルト」という。）である印刷設定情報１５ａが記憶されている記憶領域１５をその管理下に有すると共に、印刷スプーラ１６を有するプログラムである。印刷スプーラ１６は、プリンタドライバ１４から供給される印刷コマンドＳ１４を外部Ｉ／Ｆ１７を介して接続された印刷装置２０へ出力するものである。
【００２１】
ＧＤＩ１３は、機能ブロック間を接続するＩ／Ｆのプログラムであり、例えば、ＡＰ１１とプリンタドライバ１４、及びプリンタドライバ１４とＯＳ１２との間を接続するＩ／Ｆの機能を有している。
【００２２】
プリンタドライバ１４は、デフォルト印刷設定の書き換えのデフォルト印刷設定書き換え指示データ検索処理部（以下「指示データ検索処理部」という。）１４ａ、個別認証データと書き換え済み個別認証データの比較判定処理部（以下「比較判定処理部」という。）１４ｂ、デフォルト印刷設定の書き換え処理部（以下「書き換え処理部」という。）１４ｃ、及び印刷コマンド生成処理部１４ｄから構成されるプログラムであり、その管理下に参照先情報１５ｂ、及び書き換え済みの個別認証データ１５ｃを格納する書き換え済み個別認証データのフラグテーブル（以下「フラグテーブル」という。）１５ｄを保持する記憶領域１５を有している。
【００２３】
指示データ検索処理部１４ａは、印刷設定情報１５ａの更新指示の命令Ｓ１１をＡＰ１１から受けると、記憶領域１５から、参照先情報１５ｂを取得し、この参照先情報１５ｂに基づいて情報蓄積装置３０の内部を検索すると共に、比較判定処理部１４ｂへ、次の処理を指示する。
【００２４】
比較判定処理部１４ｂは、指示データ検索処理部１４ａからの指示を受けると、情報蓄積装置３０から取得される個別認証データ３２ａと、フラグテーブル１５ｄと、に基づいて、個別認証データ３２ａの有無、及び取得された個別認証データ３２ａがフラグテーブル１５ｄ内にあるか否かの判定をし、その判定結果を書き換え処理部１４ｃへ出力すると共に、次の処理を指示する機能を有している。比較判定処理部１４ｂは、印刷設定情報１５ａの設定情報の更新後に、フラグテーブル１５ｄに書き換え済みの個別認証データ３２ａを上書き保存する機能を有している。
【００２５】
書き換え処理部１４ｃは、比較判定処理部１４ｂからの指示を受けると、情報蓄積装置３０からの書き換え用の印刷設定情報３２ｂの入力に基づいて、記憶領域１５内の印刷設定情報１５ａを更新する機能を有している。
【００２６】
印刷コマンド生成処理部１４ｄは、ＡＰ１１から描画命令に基づき印刷コマンドを生成し、ＯＳ１２内の印刷スプーラ１６へ出力するものである。印刷スプーラ１６は、プリンタドライバ１４から供給される印刷コマンドＳ１４を入力するジョブ１６ａと、印刷装置２０へ印刷コマンドを出力するジョブ１６ｂと、を有しており、プリンタドライバ１４から入力される印刷コマンドを所定のタイミングで印刷装置２０へ出力するものである。
【００２７】
外部Ｉ／Ｆ１７は、例えば、印刷スプーラ１６と印刷装置２０とを接続するハードウェアＩ／Ｆである。印刷装置２０は、情報処理装置１０からの命令に従って、例えば、紙の記憶媒体へ文字、画像等を印刷するものである。
【００２８】
情報蓄積装置３０は、記憶領域３１を有し、この記憶領域３１には、自己を識別するための個別認証データ３２ａと書き換え用印刷設定情報３２ｂとを保持するデフォルト印刷設定情報の書き換え指示データファイル（以下「指示データファイル」という。）３２が格納されている。情報蓄積装置３０は、情報処理装置１０から入力される参照先情報１５ｂに基づき、個別認証データ３２ａ及び書き換え用印刷設定情報３２ｂを情報処理装置１０へ出力するものである。
【００２９】
図３は、図１中の印刷設定情報１５ａの例を示す図である。
図１中の印刷設定情報１５ａは、情報処理装置１０のＯＳ１２におけるデフォルトの印刷設定情報であり、図３には、用紙サイズ、解像度、カラー・モノクロ、用紙厚、及び両面印刷の印刷設定項目に対して、それぞれ、Ａ４（版）、ふつう、カラー、厚い紙、及び無し、が設定されている例が示されている。
【００３０】
図４は、図１中の参照先情報１５ｂの例を示す図である。
図１中の参照先情報１５ｂは、情報処理装置１０が書き換え用印刷情報３２ｂを参照に行く先を示す情報であり、例えば、参照先１に対する参照先情報１５ｂとして、“情報蓄積装置３０のデータファイル３２”が格納されている。図１において、例えば、ＡＰ１１により、参照先番号１を指定して印刷設定変更の命令がされると、指示データ検索処理１４ａにより、参照先情報１５ｂとして、情報蓄積装置３０のデータファイル３２が参照されることになる。
【００３１】
ＡＰ１１からの印刷設定変更の命令時における参照先番号の指定が、２，３，４のときは、参照先情報１５ｂとして、それぞれ、外部ファイルサーバ３５，ストレージサーバ３６，外部メモリ３７が参照されることになる。
【００３２】
図５は、図１中のフラグテーブル１５ｄの例を示す図である。
フラグテーブル１５ｄは、既に参照された参照済の個別認証データ１５ｃを格納するテーブルである。図５の例では、“情報蓄積装置３０のデータファイル３２”に対する個別認証データ３２ａが、書き換え済み個別認証データ１５ｃとして格納されている。情報蓄積装置３０として、フラグテーブル１５ｄに、外部ファイルサーバ３５、ストレージサーバ３６、及びＵＳＢメモリ３７が登録されているが、これらは未だ参照されておらず、書き換え済みでないので、書き換え済み個別認証データ欄は、空欄となっている。
【００３３】
図６は、図１中の書き換え用印刷情報３２ｂの例を示す図である。
書き換え用印刷設定情報３２ｂは、印刷設定情報１５ａを書き換えるための印刷設定情報であり、図６には、用紙サイズ、解像度、カラー・モノクロ、用紙厚、及び両面印刷の各印刷設定項目は、それぞれ、Ａ３（版）、きれい、モノクロ、薄い紙、及び長編綴じ、と設定する例が示されている。
【００３４】
（実施例１の動作）
図１において、情報処理装置１０における印刷設定情報の更新動作は、情報処理装置１０内の記憶領域１５に、参照先情報１５ｂが記憶されていることを前提としているので、先ず、参照先情報１５ｂの登録方法から説明する。
【００３５】
（参照先情報の登録方法）
図７は、参照先情報の登録方法を説明するための図であり、２つの参照先情報１５ｂの登録方法が示されている。
【００３６】
先ず、情報処理装置１０のオペレータが、プリンタドライバ１４のプログラムをインストール前に、参照先情報１５ｂを登録する登録方法１について説明する。
【００３７】
情報処理装置１０に、プリンタドライバ３３ａのプログラム及び参照先情報３３ｂを格納し、プリンタドライバ１４にプログラムをインストールするためのインストーラ３３ｃを有するインストールパッケージ３３を接続する。その後、情報処理装置１０のオペレータが、インストーラ３３ｃを起動し、インストーラ３３ｃがプリンタドライバ３３ａをインストールする際に、情報処理装置１０の記憶領域１５へ参照先情報３３ｂを登録する。印刷システム１の管理者がデータファイル３２を配置或いは配布する前に、情報処理装置１０のオペレータは、データファイル３２の参照先情報１５ｂを情報処理装置１０の記憶領域１５に登録しておく。
【００３８】
次に、情報処理装置１０のオペレータが、プリンタドライバ１４のプログラムをインストールした後に、参照先情報１５ｂを登録する登録方法２について説明する。
【００３９】
情報処理装置１０に、参照先情報３４ａを格納した参照先情報設定用のスクリプト（以下「スクリプト」という。）３４を接続する。オペレータが、スクリプト３４を起動すると、スクリプト３４は、既にプログラムがインストールされている情報処理装置１０のプリンタドライバ１４に、後から参照先情報３４ａを登録する。プリンタドライバ１４に、プログラムが既にインストールされている場合は、情報処理装置１０のプリンタドライバ１４に対して参照先情報１５ｂを設定するためのバッチファイルを配布し、各オペレータはこのバッチファイルを実行することで参照先情報１５ｂを登録する。
【００４０】
（印刷設定情報の更新動作）
次に、印刷設定情報の更新動作について説明する。
【００４１】
図１及び図２において、情報処理装置１０のオペレータは、情報処理装置１０に接続された印刷装置２０に対応した印刷設定に、印刷設定情報１５ａを変更したい場合、情報処理装置１０のＡＰ１１を起動し、印刷設定変更を命令する。印刷設定変更の命令を受けたプリンタドライバ１４は、記憶領域１５から参照先情報１５ｂを取得し参照先情報１５ｂに基づき記憶領域３１を検索し、プリンタドライバ１４の設定を変更する内容を保持したデータファイル３２の有無を判断する。プリンタドライバ１４は、このデータファイル３２が存在する場合、情報処理装置１０のプリンタドライバ１４が動作した時点で自らの記憶領域１５に保持される印刷設定情報１５ａを更新する。
【００４２】
図８は、本発明の実施例１の印刷設定情報の更新処理を示すフローチャートであり、複数のステップＳＴ１０、１１、１３、１４、１７、１８、及び１９の上段及び下段には、処理内容及びそのステップＳＴ１０、１１、１３、１４、１７、１８、及び１９の処理を実行する動作主体が記載されている。
【００４３】
印刷設定情報１５ａの更新処理が開始されると、ステップＳＴ１０へ進む。ステップＳＴ１０において、ＡＰ１１は、プリンタドライバ１４を呼び出し、ステップＳＴ１１へ進む。ステップＳＴ１１において、呼び出されたプリンタドライバ１４内の指示データ検索処理１４ａが、記憶領域１５内に記憶された参照先情報１５ｂを取得して、参照先を検索し、ステップＳＴ１２へ進む。
【００４４】
ステップＳＴ１２において、指示データ検索処理部１４ａは、参照先情報１５ｂに対応した参照先にデータファイル３２が存在するかどうかを確認する。データファイル３２の有無を判断し、存在しない場合には（Ｎ）、ステップＳＴ２０へ進み、存在する場合には（Ｙ）、ステップＳＴ１３へ進む。ステップＳＴ１３において、データファイル３２に含まれる個別認証データ３２ａを比較判定処理１４ｂが取得し、取得した個別認証データ３２ａと、フラグテーブル１５ｄ内に格納された個別認証データと比較し、ステップＳＴ１４へ進む。ステップＳＴ１４において、個別認証データ３２ａとフラグテーブル１５ｄ内のＮ番目の個別認証データと比較し、ステップＳＴ１５へ進む。
【００４５】
ステップＳＴ１５において、比較判定処理部１４ｂは、個別認証データ３２ａと同じ個別認証データがフラグテーブル１５ｄに含まれているか否かの判定し、同じ個別認証データが含まれている場合には（Ｙ）、既に書き換え済み個別認証データであると判断して、ステップＳＴ２０へ進み、同じ個別認証データが含まれていない場合には（Ｎ）、ステップＳＴ１６へ進む。ステップＳＴ１６において、比較判定処理部１４ｂは、フラグテーブル１５ｄ内の全ての個別認証データが検索されたか否かが判断され、全ての個別認証データが検索された場合には（Ｙ）、ステップＳＴ１７へ進み、全ての個別認証データが検索されていない場合には（Ｎ）、ステップＳＴ１４へ戻る。フラグテーブル１５ｄ内に含まれる全ての個別認証データを比較するまで、ステップＳＴ１４〜１６の処理を繰り返す。
【００４６】
ステップＳＴ１７において、フラグテーブル１５ｄ内に個別認証データ３２ａが含まれていない場合、データファイル３２は、未だ書き換えが行われていないと判断して、書き換え処理１４ｃがデータファイル３２から書き換え用印刷設定情報３２ｂを取得し、ステップＳＴ１８へ進む。ステップＳＴ１８において、書き換え処理１４ｃを介して、印刷設定情報１５ａの更新を実行し、ステップＳＴ１９へ進む。ステップＳＴ１９において、印刷設定情報１５ａの更新が実行されたことを記録するため、フラグテーブル１５ｄに対し、個別認証データ３２ａを追加し、ステップ２０へ進む。ステップＳＴ２０において、印刷設定情報の更新処理を終了する。書き換え済み個別認証データとして、個別認証データ３２ａが記録されたフラグテーブル１５ｄが、図５に示されている。
【００４７】
（印刷処理の動作）
図９は、印刷システム１における印刷処理の流れを説明するための図である。
【００４８】
最後に、図１、図２、及び図９を参照して、印刷システム１の印刷処理の動作を説明する。
図９において、ＡＰ１１が、ＧＤＩ１３を介して、描画命令Ｓ１１をプリンタドライバ１４へ出力する。描画命令Ｓ１１を受けると、プリンタドライバ１４は、情報処理装置１０に接続された印刷装置２０を制御するため、描画命令Ｓ１１を印刷装置２０が利用するページ記述言語の印刷コマンドＳ１４に変換し、印刷スプーラ１６へ送出する。印刷スプーラ１６は、印刷コマンドＳ１４をジョブ１６ａとして蓄積し、順次、外部Ｉ／Ｆ１７を介して印刷コマンドｓ１６ｂを印刷装置２０へ出力する。印刷装置２０は、印刷コマンドＳ１６Ｂに従って印刷を実行する。
【００４９】
情報処理装置１０を操作するオペレータが、印刷設定情報１５ａの設定項目及び設定値を選択することで、印刷装置２０の機能及びその機能の選択肢に対応した印刷が実行される。プリンタドライバ１４が、初期状態でどのような設定項目及び設定値を有するかを、デフォルトの設定値として保持されている。このデフォルトの設定値は、ＯＳ１２が管理し、プリンタドライバ１４がインストールされた時点で生成され、情報処理装置１０の記憶領域１５上に保持されている。
【００５０】
（実施例１の効果）
本実施例１によれば、次の（ａ）〜（ｆ）のような効果がある。
【００５１】
（ａ）  印刷システム１の管理者は、参照先情報１５ｂの参照先の情報蓄積装置３０の記憶領域３１にデフォルト印刷設定書換指示データファイル３２を配置する。これにより、情報処理装置１０のオペレータは、参照先情報１５ｂに基づき、情報蓄積装置３０の記憶領域３１にデフォルト印刷設定書換指示データファイル３２を参照することにより、情報処理装置１０の印刷設定情報１５ａの設定値を更新することができる。
【００５２】
（ｂ）  情報処理装置１０の印刷設定情報１５ａの更新は、印刷装置２０での印刷の処理のためにプリンタドライバ１４が呼び出されるタイミングで実行される。そのため、デフォルト印刷設定情報１５ａの設定値の更新した後に、情報処理装置１０のオペレータが、印刷設定情報１５ａのデフォルト値を好みの設定値に変更した場合、再びデフォルト印刷設定書換指示データファイル３２で指定されているデフォルト印刷設定情報に戻されてしまうことはない。
【００５３】
（ｃ）  オペレータが、印刷設定情報１５ａを更新する場合の設定情報の参照先を示す参照先情報１５ｂに基づいて、書き換え用印刷設定情報３２ｂを検索し、印刷設定情報１５ａを検索された書き換え用印刷情報３２ｂに更新するようにしている。そのため、一度、情報処理装置１０の印刷設定情報１５ａの設定をした後に、印刷設定情報を更新するために、オペレータが、再度、プリンタドライバ１４のプログラムをインストールする必要がない。
【００５４】
（ｄ）  情報処理装置１０は、参照先情報１５ｂに基づいて書き換え用印刷設定情報３２ｂを検索するようにしている。そのため、複数の印刷装置２０−１〜２０−Ｎに対応した複数の書き換え用印刷設定情報３２ｂを、複数の参照先情報１５ｂと対応づけて情報蓄積装置３０に記憶しておくことにより、情報処理装置１０の印刷設定情報１５ａを参照先情報１５ｂに対応した複数の印刷装置２０−１〜２０−Ｎの印刷設定情報３２ｂに変更することができる。
【００５５】
（ｅ）  印刷システム１は、情報処理装置１０内のプリンタドライバ１４のプログラムを再インストールすることなく、印刷設定情報１５ａのデフォルト値を更新できるようになっている。そのため、印刷システム１の印刷設定情報１５ａのデフォルト値を変更する際に、プリンタドライバ１４のプログラムをインストールする作業は発生しない。
【００５６】
（ｆ）  印刷システム１は、参照先の情報蓄積装置３０内の記憶領域３１に格納されたデータファイル３２に個別認証データ３２ａを付与している。そのため、管理者が、個別認証データ３２ａを新たに付与したデータファイル３２を配置することで、同一の情報処理装置１０に対して印刷設定情報１５ａのデフォルト値の更新指示を、印刷システム１の管理者が、何度でも行うことができる。
【実施例２】
【００５７】
（実施例２の構成）
図１０は、本発明の実施例２の印刷システム１Ａの概略を示す構成図であり、実施例１の印刷システム１を示す図２中の要素と共通の要素には共通の符号が付されている。
【００５８】
本実施例２の印刷システム１Ａは、実施例１と同様の複数の印刷装置２０−１〜２０−Ｎと、実施例１と構成及び機能が異なる情報処理装置１０Ａとが、実施例１と同様のネットワーク２を介して接続されている。更に、情報処理装置１０Ａには、実施例１とは構成及び機能が異なる情報蓄積装置３０Ａが接続されている。
【００５９】
図１１は、図１０中の情報処理装置１０Ａの詳細を示す構成図であり、実施例１における情報処理装置１０を示す図１中の要素と共通の要素には共通の符号が付されている。
【００６０】
本実施例２の情報処理装置１０Ａは、実施例１の情報処理装置１０と同様のＡＰ１１及びＧＤＩ１３のプログラムと、実施例１とは異なるＯＳ１２Ａ及びプリンタドライバ１４Ａのプログラムとがインストールされ、更に、実施例１と同様の記憶領域１５と、実施例１と同様の外部Ｉ／Ｆ１７と、が設けられている。
【００６１】
ＯＳ１２Ａは、その支配下の記憶領域１５に記憶されている現在の印刷設定情報１５ａをプリンタドライバ１４Ａへ出力すると共に、プリンタドライバ１４Ａから書き換え用印刷設定情報３２ｂが入力されると、印刷設定情報１５ａを書き換え用印刷設定情報３２ｂに書き換える機能を有している。ＯＳ１２Ａのその他の構成及び機能は、実施例１のＯＳ１２と同様である。
【００６２】
プリンタドライバ１４Ａは、実施例１のプリンタドライバ１４と同様の指示データ検索処理部１４ａ、比較判定処理部１４ｂ、及び印刷コマンド生成処理部１４ｄと、新たに追加された印刷設定項目マスク処理部（以下「マスク処理部」という。）１４ｅと、実施例１とは機能の異なる書き換え処理部１４ｆと、を有している。
【００６３】
印刷設定項目マスク処理部１４ｅは、情報蓄積装置３０Ａから入力される書き換え用印刷設定情報３２ｂ及び印刷設定項目のマスクデータ（以下「マスクデータ」という。）３２ｃと、ＯＳ１２Ａから入力される印刷設定情報１５ａと、に基づいて論理演算をして、デフォルト書き換え用のマスク済の印刷設定情報（以下「マスク済み印刷設定情報」という。）Ｓ１４ｅを生成し、書き換え処理部１４ｆへマスク済み印刷設定情報Ｓ１４ｅを出力する。
【００６４】
書き換え処理部１４ｆは、比較判定処理部１４ｂからの指示を受けると、マスク処理部１４ｅから入力されるマスク済み印刷設定情報Ｓ１４ｅに基づいて、記憶領域１５内の印刷設定情報１５ａを更新する機能を有している。プリンタドライバ１４Ａのその他の構成は、実施例１のプリンタドライバ１４と同様である。
【００６５】
本実施例２の情報蓄積装置３０Ａは、実施例１の情報蓄積装置３０内のデータファイル３２とは異なる第２のデフォルト印刷設定書き換え指示データファイル（以下「データファイル」という。）３２Ａを有している。データファイル３２Ａには、実施例１のデータファイル３２と同様の個別認証データ３２ａ及び書き換え用印刷設定情報３２ｂに、新たに、マスクデータ３２ｃが追加されて、格納されている。マスクデータ３２ｃは、印刷設定情報１５ａの設定項目の内、設定更新をする設定項目を指定したデータであり、このマスクデータ３２ｃを用いて、印刷設定情報１５ａの更新をすることにより、印刷設定情報１５ａの設定項目の内の所定の設定項目のみを更新することを企図したデータである。情報蓄積装置３０Ａのその他の構成については、実施例１の情報蓄積装置３０の構成と同様である。
【００６６】
図１２は、図１１中のマスクデータ３２ｃの例を示す図である。
図６と図１２と対比すると、図１２に示されたマスクデータ３２ｃの例では、印刷設定項目の内、「用紙サイズ」と「カラー・モノクロ」とがマスクされている。マスクデータ３２ｃを用いることにより、印刷設定情報１５ａの内のマスクされている設定項目の「用紙サイズ」及び「カラー・モノクロ」の設定値のみを更新することができる。
【００６７】
（実施例２の動作）
本実施例２における参照先情報１５ｂの登録及び印刷の動作は、実施例１と同様であるので、実施例１と異なる印刷設定情報１５ａの更新動作について、以下説明する。
【００６８】
図１３は、実施例２の印刷設定処理を示すフローチャートであり、複数のステップＳＴ１０、１１、１３、３１〜３４、１７、１８、及び１９の上段及び下段には、処理内容及びそのステップＳＴ１０、１１、１３、３１〜３４、１７、１８、及び１９の処理を実行する動作主体が記載されている。
【００６９】
印刷設定情報の更新の処理が開始されると、実施例１と同様なステップＳＴ１０〜ＳＴ１６の処理を行い、引き続いて、実施例１とは異なるステップＳＴ３１〜ＳＴ３４の処理を行い、次に、実施例１と同様なステップＳＴ１７〜ＳＴ２０の処理を行う。
【００７０】
ステップＳＴ１０〜ＳＴ１６において、実施例１と同様な処理が行われ、ステップＳＴ３１へ進む。
【００７１】
ステップＳＴ３１において、マスク処理部１４ｅが、データファイル３２Ａから書き換え用印刷設定情報３２ｂを取得し、ステップＳＴ３２へ進む。ステップＳＴ３２において、マスク処理部１４ｅが、データファイル３２Ａからマスクデータ３２ｃを取得し、ステップＳＴ３３へ進む。ステップＳＴ３３において、マスク処理部１４ｅが、記憶領域１５から印刷設定情報１５ａを取得し、ステップＳＴ３４へ進む。ステップＳＴ３４において、マスク処理部１４ｅが、印刷設定情報３２ｂ、マスクデータ３２ｃ、及び印刷設定情報１５ａに基づき、以下の論理演算を行う。
（印刷設定情報１５ａ）ＡＮＤ（マスクデータ３２ｃ）ＯＲ（印刷設定情報３２ｂ）ＡＮＤ（反転マスクデータ／３２ｃ）
【００７２】
この論理演算により、マスクデータ３２ｃを考慮したマスク済印刷設定情報を生成し、ステップＳＴ１７へ進む。ステップＳＴ１７において、書き換え処理１４ｆは、ステップＳＴ３４の論理演算の結果を得て、ステップＳＴ１８へ進む。ステップＳＴ１８において、ＯＳ１２ＡのＯＳ書き換え処理１４ｆを仲介し、書き換え処理を実行し、ステップＳＴ１９へ進む。ステップＳＴ１９において、比較判定処理１４ｂが、書き換えが一度実行されたことを記憶するため、フラグテーブル１５ｃに対し、今回の個別認証データ３２ａを追加し、ステップＳＴ２０へ進む。ステップＳＴ２０において、印刷設定情報１５ａの設定値の更新の処理を終了する。
【００７３】
図１４は、図１１中の印刷設定項目マスク処理１４ｅにおける論理演算を説明する図であり、図１３中のステップＳＴ３４での論理演算が示されている。
【００７４】
先ず、図１４（ａ）に示された印刷設定情報１５ａと、図１４（ｂ）に示されたマスクデータ３２ｃと、の各設定項目の論理積が論理演算され、図１４（ｃ）に示された第１論理積テーブルを得る。図１４（ｃ）に示された第１論理積テーブルは、印刷設定情報１５ａの設定項目に対し、『（印刷設定情報１５ａ）ＡＮＤ（マスクデータ３２ｃ）』の論理演算を実行した結果であり、図１４（ａ）の印刷設定情報１５ａの設定項目中、図１４（ｂ）のマスクデータ３２ｃでマスクされている設定項目の「用紙サイズ」及び「カラー・モノクロ」がマスクされた論理積テーブルとなっている。
【００７５】
次に、図１４（ｄ）に示された書き換え用印刷設定情報３２ｂと、図１４（ｅ）に示されたマスクデータ３２ｃのマスク論理を反転したＮＯＴ（マスクデータ）／３２ｃと、の各設定項目の論理積が論理演算され、図１４（ｆ）に示された第２論理積テーブルを得る。図１４（ｆ）に示された第２論理積テーブルは、書き換え用印刷設定情報３２ｂの設定項目に対し、『（印刷設定情報３２ｂ）ＡＮＤ（反転マスクデータ／３２ｃ）』の論理演算を実行した結果であり、図１４（ｄ）中、図１４（ｅ）の反転マスクデータ／３２ｃでマスクされている設定項目の「解像度」、「用紙厚」、及び「両面印刷」がマスクされた論理積テーブルとなっている。
【００７６】
更に、図１４（ｃ）に示された第１論理積テーブルと、図１４（ｆ）に示された第２論理積テーブルと、の各設定項目の論理和が論理演算され、図１４（ｇ）に示されたマスク済み印刷設定情報を得る。図１４（ｇ）に示されたマスク済み印刷設定情報は、図１４（ｃ）に示された第１論理積テーブル及び図１４（ｆ）に示された第２論理積テーブルの各設定項目に対し、『（印刷設定情報１５ａ）ＡＮＤ（マスクデータ３２ｃ）ＯＲ（印刷設定情報３２ｂ）ＡＮＤ（反転マスクデータ／３２ｃ）』の論理演算をした結果である。図１４において、図１４（ｃ）に示された第１論理積テーブルの設定項目のうちマスク設定されていない設定項目「解像度」、「用紙厚」、及び「両面印刷」と図１４（ｆ）に示された第２論理積テーブルのマスク設定されていない設定項目「用紙サイズ」及び「カラー・モノクロ」を合成した論理積テーブルとなっている。
【００７７】
以上をまとめると、図１４において、論理演算により合成された図１４（ｇ）に示されたマスク済み印刷設定情報テーブルは、図１４（ａ）に示された印刷設定情報１５ａの設定項目のうち、図１４（ｂ）に示されたマスクデータ３２ｃでマスクされている項目のみ、図１４（ｄ）に示された書き換え用印刷設定情報３２ｂの設定値に更新されている。
【００７８】
即ち、実施例２では、情報蓄積装置３０Ａのデータファイル３１Ａにマスクデータ３２ｃを追加し、情報処理装置１０Ａのプリンタドライバ１４Ａに印刷設定項目マスク処理１４ｅを追加した。これにより、印刷設定情報１５ａの設定項目の内、マスクデータ３２ｃでマスクした設定項目だけ、書き換え用印刷設定情報３２ｂの設定値に更新することが可能になる。
【００７９】
（実施例２の効果）
本実施例２によれば、実施例１と同様な効果に加え、更に、以下の（ａ），（ｂ）のような効果がある。
【００８０】
（ａ）  情報蓄積装置３０Ａのデータファイル３２Ａに、マスクデータ３２ｃを追加したので、印刷システム１Ａの管理者は、情報処理装置１０Ａの印刷設定情報１５ａの内、マスク設定した設定項目のデフォルト値のみを更新することができる。
【００８１】
（ｂ）  印刷システム１Ａの管理者は、情報処理装置１０Ａの印刷設定情報１５ａの内、マスク設定した設定項目のデフォルト値のみを更新する。これにより、オペレータは、情報処理装置１０の印刷設定情報１５ａのデフォルト値を好みの設定値に書き換えた後に、印刷システム１Ａの管理者が、特定の設定項目をマスク指定して、印刷設定情報１５ａを更新した場合には、マスク指定した設定項目以外の設定項目については、オペレータが実施した変更内容が保持される。
【実施例３】
【００８２】
（実施例３の構成）
図１５は、本発明の実施例３の印刷システム１Ｂの概略を示す構成図であり、実施例１における印刷システム１を示す図２中の要素と共通の要素には共通の符号が付されている。
【００８３】
本実施例３の印刷装置１Ｂは、実施例１と同様の複数の印刷装置２０−１〜２０−Ｎと、実施例１と構成及び機能が異なる情報処理装置１０Ｂとが、実施例１と同様のネットワーク２を介して接続されている。
【００８４】
図１６は、図１５中の情報処理装置１０Ｂの詳細を示す構成図であり、実施例１における情報処理装置１０を示す図１中の要素と共通の要素には共通の符号が付されている。
【００８５】
本実施例３の情報処理装置１０Ｂは、実施例１と同様のＧＤＩ１３及び外部Ｉ／Ｆ１７と、実施例１とは構成及び機能が異なるＡＰ１１Ａ、ＯＳ１２Ｂ、プリンタドライバ１４Ｂ、及び記憶領域１５Ａを有している。
【００８６】
ＡＰ１１Ａは、実施例１のＡＰ１１と同様の構成に加え、記憶領域１５Ａ内に、印刷設定アプリケーション保持値１５ｅを記憶する領域を、その支配下に有している。
【００８７】
ＯＳ１２Ｂは、実施例１のＯＳ１２と同様の構成に、新たに、ＡＰ１１Ａの支配下の印刷設定アプリケーション保持値１５ｅによって印刷設定情報１５ａを更新する機能は付加されている。
【００８８】
プリンタドライバ１４Ｂは、実施例１のプリンタドライバ１４と同様の構成に、新たに、印刷ユーザＩ／Ｆ１４ｈが追加されている。印刷設定ユーザＩ／Ｆ１４ｈは、例えば、現在の印刷設定情報１５ａを表示する表示部４１と、表示部４１に表示された印刷設定情報１５ａ中の所定の設定項目の設定値をオペレータが変更する操作部４２とを有するコントロールパネル４０が接続される。
【００８９】
記憶領域１５Ａには、実施例１の記憶領域１５と同様な印刷設定情報１５ａ、参照先情報１５ｂ、及びフラグデーブル１５ｄに、新たに、印刷設定のアプリケーション保持値（以下「ＡＰ保持値」という。）１５ｅの記憶領域が追加されている。
【００９０】
（実施例３の動作）
本実施例３の動作のうち、参照先情報の登録、参照先を参照して行われる印刷設定の動作、及び印刷動作については、実施例１と同様である。
【００９１】
本実施例３はで、プリンタドライバ１４Ｂに、印刷設定ユーザＩ／Ｆ１４ｈが追加されている。この印刷設定ユーザＩ／Ｆ１４ｈを介しての印刷設定情報１５ａの更新機能が追加されているので、以下、追加された印刷設定ユーザＩ／Ｆ１４ｈを介しての更新機能について説明する。
【００９２】
図１７は、実施例３の印刷設定及び印刷の流れを説明する図であり、図１８は、実施例３の印刷設定処理を示すフローチャートであり、複数のステップＳＴ４１〜ＳＴ４８の上段及び下段には、処理内容及びそのステップＳＴ４１〜ＳＴ４８の処理を実行する動作主体が記載されている。
【００９３】
ステップＳＴ４０において、印刷設定の処理が開始されると、ステップＳＴ４１へ進む。ステップＳＴ４１において、ＡＰ１１は、起動時にＯＳ１２から現在の印刷設定情報１５ａを取得し、ステップＳＴ４２へ進む。ステップＳＴ４２において、ＡＰ１１は、取得した印刷設定情報１５ａを一旦、ＡＰ保持値１５ｅとして、記憶領域１５Ａ内に保持する。コントロールパネル４０の操作部４２から印刷設定Ｉ／Ｆ１４ｈを介してプリンタドライバ１４Ｂの呼び出しの操作が受付けられると、ＡＰ１１Ａは、プリンタドライバ１４Ｂを呼び出し、ステップＳＴ４３へ進む。
【００９４】
ステップＳＴ４３において、ＡＰ１１Ａは、保持しているＡＰ保持の設定値１５ｅをプリンタドライバ１４Ｂへ渡し、プリンタドライバ１４Ｂは、その設定値を印刷設定Ｉ／Ｆ１４ｈを介して表示部４１に表示する。ステップＳＴ４４において、操作部４２からの印刷装置２０の機能を対応する設定項目の設定の操作が受付けられると、印刷設定情報１５ａの設定変更が完了し、ステップＳＴ４５へ進む。ステップＳＴ４５において、プリンタドライバ１４Ｂは、ユーザＩ／Ｆ１４ｈの変更状態を設定値に反映させて、ＡＰ１１に返送し、ステップＳＴ４６へ進む。ステップＳＴ４６において、ＡＰ１１は返送された設定値をＡＰ保持値１５ｅとし、ステップＳＴ４７へ進む。
【００９５】
ステップＳＴ４７において、オペレータの印刷実行の指示により、変更されたＡＰ保持値１５ｅをプリンタドライバ１４Ｂへ渡し、再びプリンタドライバ１４Ｂの印刷コマンド生成処理１４ｄを呼び出し、ステップＳＴ４８へ進む。ステップＳＴ４８において、プリンタドライバ１４Ｂは、ＡＰ１１からの描画命令Ｓ１１に応じて呼び出され、印刷コマンド生成処理１４ｄにおいて様々な描画命令に対応し、ＡＰ１１Ａからの印刷設定を加味した状態で印刷コマンドＳ１５ｅ２を生成し、外部Ｉ／Ｆ１７を介して印刷装置２０に印刷コマンドＳ１６ｂを出力し、ステップＳＴ４９へ進む。印刷装置２０は、印刷コマンドＳ１６ｂを受けとると、印刷コマンドＳ１６ｂに従って印刷を実行する。ステップＳＴ４９において、印刷処理は終了する。
【００９６】
尚、上記説明においては、オペレータが印刷設定を変更する操作をした場合について説明したが、オペレータが、印刷設定を変更する操作を行わず、直ちに、印刷実行の指示を行った場合は、ＯＳ１２Ｂのデフォルト設定値のまま印刷されることになる。
【００９７】
（実施例３の効果）
本実施例３に印刷システムによれば、実施例１、２と同様な効果に加え、更に、以下の（ａ），（ｂ）のような効果がある。
【００９８】
（ａ）  本実施例３の情報処理装置１０Ｂは、プリンタドライバ１４Ｂに印刷設定ユーザＩ／Ｆが追加されているので、情報処理装置１０Ｂのオペレータは、プリンタドライバ１４Ｂのインストール時に提供されたデフォルトの印刷設定情報１５ａの設定値を印刷設定ユーザＩ／Ｆ１５ｈを介して、印刷設定情報１５ａの設定値に所望の設定値に変更することができる。
【００９９】
（ｂ）  オペレータが、印刷設定ユーザＩ／Ｆ１５ｈを介して、印刷設定情報１５ａの設定値を変更する場合、印刷設定情報１５ａのデフォルト値自体は更新しないので、印刷設定情報１５ａのデフォルト値自体は保持される。
【０１００】
（変形例）
本発明は、上記実施例１〜３に限定されず、種々の利用形態や変形が可能である。この利用形態や変形例として、例えば、次の（１）〜（６）のようなものがある。
【０１０１】
（１）  実施例１〜３の印刷システム１，１Ａ，１Ｂでは、１台の情報処理装置１０（＝１０，１０Ａ，１０Ｂ）と、複数の印刷装置２０−１〜２０−Ｎが、ネットワーク２を介して接続されたシステムとしたが、情報処理装置１０の台数は１台に限定されず、複数台設けてもよい。この場合、複数台の情報処理装置１０から参照先情報１５ｂを参照することにより、印刷設定情報１５ａの更新が可能となる。
【０１０２】
（２）  実施例１〜３の情報処理装置１０の印刷設定情報１５ａでは、設定項目を、用紙サイズ、解像度、カラー・モノクロ、用紙厚、及び両面印刷としたが、設定項目は、これらの項目に限定されず、印刷装置２０の機種に応じて、適宜変更して適用することができる。
【０１０３】
（３）  実施例２の情報処理装置１０Ａのプリンタドライバ１４Ａ内の印刷設定項目マスク処理１４ｅにおいては、印刷設定情報１５ａの設定項目の内、マスクデータ３２ｃでマスクされた設定項目のみ更新されるとしたが、逆に、マスクデータ３２ｃにおいてマスクされた設定項目以外の設定項目のみ更新されるようにしてもよい。
【０１０４】
（４）  実施例３の情報処理装置１０Ｂでは、ＡＰ１１Ａがプリンタドライバ１４Ｂの印刷設定ユーザＩ／Ｆ１４ｈを呼び出す機能を持つとしたが、プリンタドライバ１４Ｂの印刷設定ユーザＩ／Ｆ１４ｈを呼び出す機能を持たず、デフォルト設定のみ利用して印刷するものとしてもよい。この場合、オペレータは、印刷を実行する毎に、コントロールパネル４０を介して、ＯＳ１２の印刷設定情報１５ａのデフォルト値の変更を行うことになる。
【符号の説明】
【０１０５】
１，１Ａ，１Ｂ        印刷システム
２        ネットワーク
１０，１０Ａ，１０Ｂ        情報処理装置
１１，１１Ａ        ＡＰ
１２，１２Ａ，１２Ｂ        ＯＳ
１３        ＧＤＩ
１４，１４Ａ，１４Ｂ        プリンタドライバ
１４ａ        指示データ検索処理部
１４ｂ        比較判定処理部
１４ｃ，１４ｆ        書き換え処理部
１４ｄ        印刷コマンド生成処理部
１４ｅ        マスク処理部
１４ｈ        印刷設定ユーザＩ／Ｆ
１５，１５Ａ，３１，３１Ａ        記憶領域
１５ａ，３２ｂ        印刷設定情報
１５ｂ        参照先情報
１５ｃ        書き換え済個別認証データ
１５ｄ        フラグテーブル
１６        印刷スプーラ
１７        外部Ｉ／Ｆ
２０，２１，２２        印刷装置
３０，３０Ａ        情報蓄積装置
３２，３２Ａ        データファイル
３２ａ        個別認証データ
３２ｃ        マスタデータ
４０        コントロールパネル
４１        表示部
４２        操作部
【図１】
2013105418.tif 000003
【図２】
2013105418.tif 000004
【図３】
2013105418.tif 000005
【図４】
2013105418.tif 000006
【図５】
2013105418.tif 000007
【図６】
2013105418.tif 000008
【図７】
2013105418.tif 000009
【図８】
2013105418.tif 000010
【図９】
2013105418.tif 000011
【図１０】
2013105418.tif 000012
【図１１】
2013105418.tif 000013
【図１２】
2013105418.tif 000014
【図１３】
2013105418.tif 000015
【図１４】
2013105418.tif 000016
【図１５】
2013105418.tif 000017
【図１６】
2013105418.tif 000018
【図１７】
2013105418.tif 000019
【図１８】
2013105418.tif 000020